(57)【要約】【課題】インクジェット記録装置において、駆動ノズル数によって記録ヘッド負荷が変動して駆動波形が不安定になることを抑制する。【解決手段】記録ヘッド９の位置情報に連動して、前記記録ヘッド９へ画像データおよび駆動波形を転送する記録ヘッド制御部２５を有し、前記記録ヘッド制御部２５は、複数の駆動波形データを格納する駆動波形格納部２５１と、画像データから同時に駆動するノズル数を算出する駆動ノズル数算出部２５２と、算出した駆動ノズル数と、予め定めた駆動ノズル数閾値に基づき前記複数の駆動波形データから１つの駆動波形データを選択する駆動波形選択部２５４とを有する。【選択図】          図９
2014172254.tif 000002
【特許請求の範囲】
【請求項１】
記録ヘッドの位置情報に連動して、前記記録ヘッドへ画像データおよび駆動波形を転送する記録ヘッド制御部を有し、
前記記録ヘッド制御部は、複数の駆動波形データを格納する駆動波形格納部と、
画像データから同時に駆動するノズル数を算出する駆動ノズル数算出部と、
算出した駆動ノズル数と、予め定めた駆動ノズル数閾値に基づき前記複数の駆動波形データから１つの駆動波形データを選択する駆動波形選択部とを有する画像記録装置。
【請求項２】
請求項１に記載された画像記録装置において、
駆動波形選択部は、複数の駆動パルスの集まりで構成する駆動波形データの１パルス単位で駆動波形データの選択を行う画像記録装置。
【請求項３】
請求項１に記載された画像記録装置において、
前記駆動ノズル数閾値が設定可能な記憶手段を有する画像記録装置。
【請求項４】
請求項３に記載された画像記録装置において、
前記記憶手段は、複数の駆動パルスの集まりで構成する駆動波形データの、１パルス単位で異なる駆動ノズル数閾値が設定可能である画像記録装置。
【請求項５】
請求項３に記載された画像記録装置において、
前記記憶手段は、複数の駆動パルスの集まりで構成する駆動波形データで実現する対象滴サイズの組み合わせ単位で異なる駆動ノズル数閾値が設定可能である画像記録装置。
【請求項６】
請求項３に記載された画像記録装置において、
前記記憶手段は、印刷モードによって異なる駆動ノズル数閾値が設定可能である画像記録装置。
【請求項７】
請求項３に記載された画像記録装置において、
前記記憶手段は、記録ヘッドの検出温度によって異なる駆動ノズル数閾値が設定可能である画像記録装置。
【請求項８】
請求項３に記載された画像記録装置において、
前記記憶手段は、記録ヘッドの主走査方向への移動速度によって異なる駆動ノズル数閾値が設定可能である画像記録装置。
【請求項９】
請求項３に記載された画像記録装置において、
前記記憶手段は、記録ヘッドの主走査方向の位置によって異なる駆動ノズル数閾値が設定可能である画像記録装置。
【請求項１０】
記録ヘッドの位置情報に連動して、前記記録ヘッドへ画像データおよび駆動波形を転送する記録ヘッド制御工程を有し、
前記記録ヘッド制御工程では、駆動波形格納部に複数の駆動波形データを格納する工程と、画像データから同時に駆動するノズル数を算出する駆動ノズル数算出工程と、算出した駆動ノズル数と、予め定めた駆動ノズル数閾値に基づき前記複数の駆動波形データから１つの駆動波形データを選択する駆動波形選択工程とを有する、画像記録装置における記録方法。
【発明の詳細な説明】
【技術分野】
【０００１】
本発明は画像記録装置及び画像記録装置における記録方法に関する。
【背景技術】
【０００２】
画像記録装置、例えばインクジェット記録装置は、インクを吐出する複数の駆動ノズル（インク吐出ノズル）で構成された記録ヘッドをキャリッジに搭載し、このキャリッジを記録媒体の搬送方向に対し直交する方向に移動（主走査）しながら、インクを吐出することで、画像を形成する。
同時に吐出するノズルの数が変化すると、そのノズルを駆動する負荷（静電容量）も変化するため、駆動波形の立ち上がり及び立ち下がり時間が変化し、インク滴の吐出速度が不安定となり、着弾位置ズレが生じる。駆動波形にオーバー及びアンダーシュートが発生し、サテライト（ミスト）が増加するといった問題がある。
【０００３】
図１１は縦軸にヘッド駆動電圧、横軸に時間を取って示した、同時に吐出する駆動ノズル数毎のヘッド駆動波形である。
図１１に示す駆動波形において、（１）の駆動波形は同時に吐出する駆動ノズル数が少なく(189ノズル)、立上がり及び立下り時間が短い（理想的な波形）。（２）の駆動波形は駆動ノズル数が多く(756ノズル)、立上がり/立下り時間が長くなって（なまって）しまっている。
記録ヘッドに搭載するノズルの総数が多い場合、或いは１ノズル当たりのインク吐出の負荷が大きい場合には、この変動量も大きくなる。
【０００４】
この問題の解決手段として、駆動回路を複数備え、駆動ノズル数によって使用する駆動回路を選択し、駆動能力を調整する方法が既に知られている。しかし、従来の駆動回路を複数備え、駆動ノズル数によって使用する駆動回路を選択し、駆動能力を調整する方法では、駆動回路が複数系統になることによりコストアップするという問題があった。
【０００５】
特許文献１（特開２００８−２５４２０４号公報）には、記録素子に印加される駆動電圧の波形ひずみの発生を抑制し、好ましい記録ヘッドの記録特性を維持する記録ヘッド駆動回路、及び画像記録装置並びに記録ヘッド駆動方法を提供することを目的とする画像記録装置が記載されている。
この画像記録装置は記録素子を備えた記録ヘッドの駆動回路を有し、この記録ヘッド駆動回路は、１つの記録素子に対して複数のドライブ回路が並列に接続された構造を有し、電源装置から供給された電圧を所定の波形を有する駆動電圧に変換する出力回路ブロックと、記録データに基づいて前記記録素子の記録数を積算する記録データ積算手段と、前記記録データ積算手段によって求めた前記積算値に応じて、前記出力回路ブロックのオン抵抗値が所定値以下になるように、前記複数のドライブ回路の中から少なくとも１つのドライブ回路を選択するドライブ回路選択手段と、を備えている。
この画像記録装置は、駆動ノズル数によって駆動波形を最適にする点で、以下で説明する本発明と類似している点がある。しかし、「駆動回路が複数になることによりコストアップする」という問題は解消できていない。
【発明の概要】
【発明が解決しようとする課題】
【０００６】
本発明は、前記従来の問題に鑑みてなされたものであって、画像記録装置の駆動波形出力において、従来のように複雑な駆動回路を用いることなく、駆動ノズル数によって記録ヘッド負荷が変動して駆動波形が不安定になることを抑制することである。
【課題を解決するための手段】
【０００７】
本発明は、記録ヘッドの位置情報に連動して、前記記録ヘッドへ画像データおよび駆動波形を転送する記録ヘッド制御部を有し、前記記録ヘッド制御部は、複数の駆動波形データを格納する駆動波形格納部と、画像データから同時に駆動するノズル数を算出する駆動ノズル数算出部と、算出した駆動ノズル数と、予め定めた駆動ノズル数閾値に基づき前記複数の駆動波形データから１つの駆動波形データを選択する駆動波形選択部とを有する画像記録装置である。
【発明の効果】
【０００８】
本発明によれば、画像記録装置の記録ヘッド駆動波形出力において、記録ヘッド制御部に駆動波形（データ）格納部を複数設け、駆動ノズル数に応じて最適な駆動波形データを選択して出力するようにしたので、従来のように複雑な駆動回路を用いることなく、駆動ノズル数によって記録ヘッド負荷が変動して駆動波形が不安定になることを抑制することができる。
【図面の簡単な説明】
【０００９】
【図１】本発明の画像記録装置の実施形態に係るインクジェット記録装置の基本構成を概略的に示した図である。
【図２】インクジェット記録装置の機能ブロック図である。
【図３】記録ヘッド駆動部のブロック図である。
【図４】記録ヘッド駆動のタイミングチャートである。
【図５】インクジェット記録装置における主走査の速度プロファイルである。
【図６】インクジェット記録装置における記録ヘッドの主走査方向への移動速度とインク滴の着弾位置との関係を示す図である。
【図７】駆動波形と吐出されるインク滴の関係を示す図である。
【図８】駆動ノズル数と駆動パルスとの関係を縦軸にヘッド駆動電圧（Vcom電圧）、横軸に時間をとって示す図であり、図８Ａは駆動ノズル数が相対的に少ない場合、図８Ｂは駆動ノズル数が相対的に多い場合を示す図である。
【図９】インクジェット記録装置における記録ヘッド制御部のブロック図である。
【図１０】記録ヘッド制御部の駆動波形選択タイミングを示す図である。
【図１１】縦軸にヘッド駆動電圧、横軸に時間を取って示した、同時に吐出する駆動ノズル数毎のヘッド駆動波形である。
【図１２】画像データと吐出される吐出滴サイズの関係を示す表である。
【図１３】駆動ノズル数閾値の設定テーブルの第１の構成例である。
【図１４】駆動ノズル数閾値の設定テーブルの第２の構成例である。
【図１５】駆動ノズル数閾値の設定テーブルの第３の構成例である。
【図１６】駆動ノズル数閾値の設定テーブルの第４の構成例である。
【図１７】駆動ノズル数閾値の設定テーブルの第５の構成例である。
【図１８】駆動ノズル数閾値の設定テーブルの第６の構成例である。
【発明を実施するための形態】
【００１０】
本発明は、画像記録装置の記録ヘッド駆動波形出力に際して、記録ヘッド制御部に駆動波形格納部を複数設け、駆動ノズル数に応じて最適な駆動波形データを選択し、共通の駆動回路から出力することを特徴とする。
【００１１】
以下、本発明の実施形態について図面を用いて説明する。
図１は、本発明の画像記録装置の実施形態に係るインクジェット記録装置の基本構成を概略的に示した図である。
キャリッジ１は、ガイドロット２で保持されて、主走査モータ３との間に掛け渡されたベルト４を介して主走査方向に走査する。キャリッジ１には、例えばイエロー(Y)、シアン(C)、マゼンタ(M)、ブラック(K)の各色のインク滴を吐出する記録ヘッド９が搭載されており、記録ヘッド９に配列された駆動ノズル（インク吐出ノズル）１０からインクを吐出する。画像は、キャリッジ１を主走査方向に移動させながら必要な位置でインク滴を吐出することによって記録媒体上に形成される。
【００１２】
キャリッジ１の位置情報は、キャリッジ１に固定されたエンコーダセンサ６が筐体に固定されたエンコーダシート５に等間隔で記録されたパターンを、移動しながら読み取ってカウントを加算／減算することで取得できる。
このような、主走査方向のキャリッジ１の移動とインク吐出動作を１回行うことで、ノズル列の長さと同じ幅のバンドに対して、画像を形成することができる。１バンド分の画像形成が終了したときは、副走査モータ７を駆動して、記録媒体を副走査方向に移動させて、再度１バンド分の画像形成動作をさせるように繰り返すことで、記録媒体の任意の場所に画像を形成することができる。
【００１３】
図２は、インクジェット記録装置の機能ブロック図である。
プリンタのハードウェア制御を行うファームウェアや記録ヘッドの駆動波形データはROM（Read Only Memory）２２に格納されている。CPU（Central Processing Unit）２１は、ホストPC（Personal
Computer）２０からホストＩ／Ｆ（Interface）２４を介して印刷ジョブ（画像データ）を受信すると、画像データをRAM（Random Access Memory）２３に格納する。また、それと共に、主走査制御部２６によって記録ヘッド９が搭載されたキャリッジ1を記録媒体８上の任意の位置に移動する。
【００１４】
記録ヘッド制御部２５は、主走査エンコーダ３ａから得られるキャリッジ１の位置情報、したがって記録ヘッド９の位置情報に連動し、RAM２３に格納された画像データ、ROM２２に格納された記録ヘッド駆動波形、および制御信号を記録ヘッド駆動部１１に転送する。
記録ヘッド駆動部１１は、記録ヘッド制御部２５より転送されたデータを基に記録ヘッド９を駆動してインク滴を吐出する。
【００１５】
図３は、記録ヘッド駆動部１１のブロック図であり、図４は、記録ヘッド駆動のタイミングチャートである。
図３、４中、SCKは画像データ転送クロック、SDは画像データ（シリアルデータ）、SLnは画像データラッチ信号、MNはヘッド駆動マスクパターン、Vcomはヘッド駆動波形（アナログ）、図３中のVoutNは階調デコード後のヘッド駆動波形（駆動ノズルN）、を示す。
【００１６】
記録ヘッド制御部２５は、記録ヘッド駆動部１１に対し記録ヘッド９のノズル数（＝アクチュエータ数）分の画像データ（シリアルデータ）SDを、画像データ転送クロックSCKによって画像データのシフトレジスタ１１１内に転送する（図４のt1）。
転送が完了すると、画像データ（シリアルデータ）SDは、画像データラッチ信号SLnにより、駆動ノズル１０毎の各画像データのラッチ部１１２に記憶される(図４のt2)。
【００１７】
画像データラッチ後、ヘッド駆動波形Vcomが、ノズルから各階調値のインク滴を吐出させるため記録ヘッド制御部２５から出力される(図４のt3)。この場合、図４に示すヘッド駆動マスクパターンMN（０）〜MN（３）が、階調制御信号として階調デコーダ１１３に入力され、ヘッド駆動波形Vcom出力のタイミングに合わせて選択されるように、レベルシフタ１１４に遷移される。
即ち、記録ヘッド駆動部１１内では、階調制御信号MN（０）〜MN（３）とラッチされた画像データＳＤが論理演算されて、各駆動ノズル１０で異なる、階調デコード後のヘッド駆動波形VoutNとなる。記録ヘッド９内のアクチュエータ９１は、アナログスイッチ１１５を開閉することにより画像データに基づいたインク吐出を行う。
【００１８】
図５は、インクジェット記録装置における主走査の速度プロファイルである。
主走査は、等速区間まで加速する加速区間、等速区間、印写終了位置から減速する減速区間、そして改行などが行われている間の停止区間、に分けられる。
また、等速・加速区間中のあるタイミングＡから、等速・減速区間のあるタイミングＢまで、インクを吐出して記録用紙に画像形成を行う印字区間が含まれている。印字区間に加速及び減速区間を含むか、等速区間のみでの印字とするかは各印字モードで異なる。
【００１９】
図６は、インクジェット記録装置における記録ヘッド９の主走査方向への移動速度とインク滴の着弾位置との関係を示す図である。
図中、Vc、Vc2はキャリッジ１の主走査方向への移動速度を示す。Vjは記録ヘッド９から記録媒体８へのインク滴の吐出速度を示す。Hjは記録ヘッド９と記録媒体８との間の距離を示す。Xj、Xj2はエンコーダシート５のエッヂからインク滴着弾位置への距離を示す。
キャリッジ１が速度Vcで移動しながら記録ヘッド９からインク滴を速度Vjで吐出した場合は、インク滴は着弾位置Xjに着弾する。
着弾位置Xjは、以下の式で求められる。
Xj
＝ （ Hj／Vj ） × Vc  ・・・・・（式１）
式１から、キャリッジ速度VcがVc2に変化した場合、インク滴着弾位置XjもXj2に変化し、着弾位置ズレが発生することが分かる。
同様に、Hj（記録ヘッドと記録媒体との間の距離）,Vj（記録ヘッドから記録媒体へのインク滴の吐出速度）の変化もインク滴着弾位置Xjに影響を及ぼすことが分かる。
【００２０】
図７は、駆動波形と吐出されるインク滴の関係を示す図である。
記録ヘッド９に入力される共通のヘッド駆動波形Vcomは、複数の駆動パルスの集まりで構成されており、駆動パルスの組み合わせによって、各ノズルの画像データに対する吐出インク滴のサイズが決定される。図７の例は、画像データが２ビット（bit）の場合で、滴サイズ0〜3の4種類が選択できることを示している。即ち、
（i）滴サイズ0（微駆動）の場合は、駆動パルス（１）を出力し、記録ノズルを微駆動する（インク滴は吐出されない）。
（ii）滴サイズ1（小滴）の場合は、駆動パルス（４）を出力し、小滴が形成される。
（iii）滴サイズ2（中滴）の場合は、駆動パルス（３）、（４）を出力し、中滴が形成される。
（iv）滴サイズ3（大滴）の場合は、駆動パルス（２）、（３）、（４）を出力し、大滴が形成される。
【００２１】
図１２は、画像データと吐出される吐出滴サイズの関係を示す表である。即ち、画像データが２ビットの場合、滴サイズは4種類が選択できる。
即ち画像データの２ビットの上位ビットと下位ビットについて、上位ビット０、下位ビット０のときは、吐出滴サイズは滴なし。上位ビット０、下位ビット１のときは、小滴。上位ビット１、下位ビット０のときは、中滴、上位、下位ビットがいずれも１のときは、大滴となる。したがって、この２ビットのデータを確定させないと、滴サイズも確定しない。
【００２２】
図８は、駆動ノズル数と駆動パルスとの関係を縦軸にヘッド駆動電圧（Vcom電圧）、横軸に時間をとって示す図であり、図８Ａは駆動ノズル数が相対的に少ない場合、図８Ｂは駆動ノズル数が相対的に多い場合を示す図である。
駆動するノズルの数が多い場合と少ない場合で、アクチュエータの負荷（静電容量）が変化する。負荷が変動すると、ヘッド駆動波形Vcomの立上がり及び立下り時間が変化する。ヘッド駆動波形Vcomの立上がり及び立下り時間が変化すると、駆動パルスのLow幅tLが変化する。駆動パルスのLow幅tLが変化すると、記録ヘッドから記録媒体へのインク滴の吐出速度Vjが変化する。吐出速度Vjが変化すると、図６で説明したように、インク滴着弾位置Xjが変動して印刷画質が劣化する。
【００２３】
図９は、インクジェット記録装置における記録ヘッド制御部２５のブロック図である。
本実施形態の記録ヘッド制御部２５は、複数の駆動波形ａ、ｂ・・・を格納する駆動波形格納部２５１と、画像データから同時に駆動するノズル数を算出する駆動ノズル数算出部２５２と、駆動ノズル数を基に複数の駆動波形データから１つを選択する駆動波形選択部２５４と、駆動波形選択部２５４が選択に用いる駆動ノズル数閾値格納部２５３を持ち、駆動ノズル数に応じて最適な駆動波形データを選択し、共通の駆動回路から出力する。
【００２４】
図９では、2種類の駆動波形a、bを格納し、駆動ノズル数によってどちらか一つの駆動波形を選択して出力する。駆動ノズル数算出部２５２は、吐出滴サイズ毎にカウンタを持ち、画像データ転送時のシリアルデータSDをカウントする。
駆動ノズル数閾値格納部２５３は、少なくとも１つ以上の閾値を持ち、その値はレジスタ設定などで可変であることが望ましい。
駆動波形選択部２５４は、駆動ノズル数算出部２５２からの駆動ノズル数、駆動ノズル数閾値、及びヘッド駆動マスクパターン出力部２５０からの情報に基づき、駆動波形格納部２５１にある複数の駆動波形ａ、ｂから一つを選択して出力する。
選択された駆動波形は、Ｄ／Ａ変換部２５６でデジタル／アナログ変換されて記録ヘッド駆動部１１に入力される。
【００２５】
図１０は、本発明の記録ヘッド制御部２５の駆動波形選択タイミングを示す図である。
例えば、図７に示す駆動波形の場合、駆動波形パルスの立上がり及び立下り時間に影響を及ぼす駆動ノズル数は、（i）駆動パルス（１）：微駆動するノズルの数、（ii）駆動パルス（２）：大滴を吐出するノズルの数、（iii）駆動パルス（３）：大滴または中滴を吐出するノズルの数、（iv）駆動パルス（４）：大滴または中滴または小滴を吐出するノズルの数となる。つまり、駆動波形パルスの立上がり及び立下り時間に影響を及ぼす駆動ノズル数は、駆動パルス（１）〜（４）毎に異なっている。
そのため、駆動波形を選択するタイミングの単位は、駆動パルス単位(1MN区単位)であることが望ましい。
【００２６】
図１０において、駆動波形aは、駆動ノズル数が少ない場合に適した駆動波形データ、駆動波形bは、駆動ノズル数が多い場合に適した駆動波形データであり、いずれも記録ヘッド制御部２５に格納されている。
駆動ノズル数が多い場合に適した駆動波形データ（ここでは駆動波形ｂ）は、例えば、駆動パルスの立ち上がり及び立ち下がり期間が、大きな負荷容量によって長くなる（なまる）。そこで、このことを想定し、この駆動波形データは図示のように立ち上がり及び立ち下がり期間を、駆動波形ａよりも予め短く設定している。
【００２７】
図１０は、駆動パルス（１）（２）での駆動ノズル数は少なく、駆動パルス（３）（４）での駆動ノズル数が多い場合を示し、駆動パルス（１）（２）は駆動波形a、駆動パルス（３）（４）は駆動波形bを選択して、Ｄ／Ａ変換部２５６に出力する。これにより、得られるヘッド駆動波形Vcomは、従来よりも駆動ノズル数の影響を少なくすることができる。
駆動波形の選択は、各駆動パルス（１）〜（４）毎に、テーブルを用いて行う。
次に、駆動波形選択テーブルについて説明する。
【００２８】
図１３は、駆動ノズル数閾値の設定テーブルの第１の構成例である。
図１３では、駆動パルス番号（駆動パルス（１）〜（４））毎に異なる駆動ノズル数閾値を設定したものである。表の左側は駆動パルス（１）〜（４）について、それぞれ、100ノズル〜400ノズルの範囲でそれぞれ閾値が設定されている。
この設定テーブルに基づき、各駆動パルス（１）〜（４）において、駆動ノズル数＜駆動ノズル数閾値の場合は駆動波形aを選択し、駆動ノズル数≧駆動ノズル数閾値の場合は駆動波形bを選択する。
【００２９】
図１４は、駆動ノズル数閾値の設定テーブルの第２の構成例である。
図１３の設定テーブルの第１の構成例では、駆動パルスの数が増えた場合、駆動ノズル数閾値の設定種類数も増える。そのため、記録ヘッド制御部２５の回路規模が実際に設定したい駆動ノズル数閾値の設定種類数よりも冗長となる。そこで、図１４の第２の構成例では、駆動ノズル数閾値の種類を、駆動パルス番号でなく、複数の駆動パルスの集まりで構成する駆動波形データで実現する対象滴サイズの組み合わせとしている。異なる閾値をその組み合わせ毎に設定することで、記録ヘッド制御部２５の回路規模の増大を抑えている。
例えば、対象滴サイズが大滴、中滴、小滴の場合、その駆動ノズル数の閾値は700ノズルであり、図１２と同様に、駆動ノズル数＜駆動ノズル数閾値の場合は駆動波形aを選択し、駆動ノズル数≧駆動ノズル数閾値の場合は駆動波形bを選択する。
【００３０】
図１５は、駆動ノズル数閾値の設定テーブルの第３の構成例である。
ヘッド駆動波形Vcomは、印刷モードによって駆動波形データが異なり、インク滴吐出速度Vjも異なる。第３の構成例は、この点に着目したもので、予め印刷モード（高速、はやい、きれい、高画質）に対応して、異なる駆動ノズル数閾値を設定可能にする設定テーブルである。
例えば、高速の場合は、駆動ノズル数閾値は100ノズルである。図１３、１４と同様に、駆動ノズル数＜駆動ノズル数閾値の場合は駆動波形aを選択し、駆動ノズル数≧駆動ノズル数閾値の場合は駆動波形bを選択する。
【００３１】
図１６は、駆動ノズル数閾値の設定テーブルの第４の構成例である。
インク滴吐出速度Vjは記録ヘッドの温度によって変化する場合がある。第４の設定テーブルは、その点に着目したものであって、記録ヘッド９の検出温度によって異なる駆動ノズル数閾値を設定可能な構成である。
例えば、記録ヘッド温度を１０℃毎に区切り、１０℃までは駆動ノズル数閾値を100ノズルとし、図１３〜１５と同様に、駆動ノズル数＜駆動ノズル数閾値の場合は駆動波形aを選択し、駆動ノズル数≧駆動ノズル数閾値の場合は駆動波形bを選択する。
【００３２】
図１７は、駆動ノズル数閾値の設定テーブルの第５の構成例である。
図６で示したように、着弾位置Xjは、Vc,Vj,Hjの変動の影響を受ける。印字区間がキャリッジ１の等速区間だけでなく、加速及び減速区間も含まれる場合、着弾位置Xjは、基本的にヘッド駆動タイミングを調整することで補正する。しかし、駆動ノズル数によるインク吐出速度の着弾位置Xjへの影響の度合も、等速区間と加速及び減速区間で異なる。第５の構成例は、この点に着目したものであって、主走査速度によって異なる駆動ノズル数閾値が設定できるようにしたものである。
例えば、主走査速度500mm／Ｓまでは、駆動ノズル数閾値を１００ノズルとし、図１３〜１６と同様に、駆動ノズル数＜駆動ノズル数閾値の場合は駆動波形aを選択し、駆動ノズル数≧駆動ノズル数閾値の場合は駆動波形bを選択する。
【００３３】
図１８は、駆動ノズル数閾値の設定テーブルの第６の構成例である。
図１７の第５の構成例では、主走査速度によって異なる駆動ノズル数閾値を設定するが、同じ主走査速度であっても、駆動ノズル数によるインク吐出速度の着弾位置Xjへの影響の度合は、加速区間と減速区間で異なる場合がある。第６の構成例は、この点に着目したものであって、主走査位置によって異なる駆動ノズル数閾値を設定できるようにしたものである。
例えば、加速期間では駆動ノズル数閾値を100ノズルとし、図１３〜１７と同様に、駆動ノズル数＜駆動ノズル数閾値の場合は駆動波形aを選択し、駆動ノズル数≧駆動ノズル数閾値の場合は駆動波形bを選択する。
【００３４】
また、図９〜１０、図１３〜１８での駆動波形の選択は、記録ヘッド９に搭載の全ノズル列の駆動ノズル数の総数で行ってもよいし、記録ヘッドに搭載の各ノズル列の駆動ノズル数で独立して行ってもよい。
以上説明したように、本実施形態に係るインクジェット記録装置によれば、駆動ノズル数に応じて最適な駆動波形出力を大幅なコストアップなしで実現することができる。また、それによって、従来のように、駆動ノズル数によって記録ヘッド負荷が変動して駆動波形が不安定になることを抑制することができる。
【符号の説明】
【００３５】
１・・・キャリッジ、２・・・ガイドロッド、３・・・主走査モータ、４・・・ベルト、５・・・エンコーダシート、６・・・エンコーダセンサ、７・・・副走査モータ、８・・・記録媒体、９・・・記録ヘッド、１０・・・駆動ノズル、１１・・・記録ヘッド駆動部、２０・・・ホストＰＣ、２１・・・ＣＰＵ、２２・・・ＲＯＭ、２３・・・ＲＡＭ、２４・・・ホストＩ／Ｆ、２５・・・記録ヘッド制御部、２６・・・主走査制御部、２７・・・副走査制御部、２５０・・・ヘッド駆動マスクパターン出力部、２５１・・・駆動波形格納部、２５２・・・駆動ノイズ駆動数算出部、２５３・・・駆動ノズル数閾値格納部、２５４・・・駆動波形選択部、２５６・・・Ｄ／Ａ変換部。
【先行技術文献】
【特許文献】
【００３６】
【特許文献１】特開２００８−２５４２０４号公報
【図１】
2014172254.tif 000003
【図２】
2014172254.tif 000004
【図３】
2014172254.tif 000005
【図４】
2014172254.tif 000006
【図５】
2014172254.tif 000007
【図６】
2014172254.tif 000008
【図７】
2014172254.tif 000009
【図８】
2014172254.tif 000010
【図９】
2014172254.tif 000011
【図１０】
2014172254.tif 000012
【図１１】
2014172254.tif 000013
【図１２】
2014172254.tif 000014
【図１３】
2014172254.tif 000015
【図１４】
2014172254.tif 000016
【図１５】
2014172254.tif 000017
【図１６】
2014172254.tif 000018
【図１７】
2014172254.tif 000019
【図１８】
2014172254.tif 000020